【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
一対の電極間に、複合材料を含む層と、発光領域とを有し、
前記複合材料を含む層は、有機化合物と無機化合物とを含み、
前記発光領域は、発光性の高い物質と、キャリア輸送性の高い物質とを含み、
前記発光性の高い物質と前記キャリア輸送性の高い物質との濃度比が周期的に変化していることを特徴とする発光素子。
【請求項２】
請求項１において、
前記濃度比の周期的変化の一周期の長さは４０ｎｍ以下であることを特徴とする発光素子。
【請求項３】
請求項１または請求項２において、前記キャリア輸送性の高い物質の最高被占軌道準位よりも前記発光性の高い物質の最高被占軌道準位が高く、かつ、前記キャリア輸送性の高い物質の最低空軌道準位よりも前記発光性の高い物質の最低空軌道準位が低いことを特徴とする発光素子。
【請求項４】
一対の電極の間に、複合材料を含む層と、発光領域とを有し、
前記複合材料を含む層は、有機化合物と無機化合物とを含み、
前記発光領域は、発光性の高い物質と、キャリア輸送性の高い物質とを含み、
前記発光性の高い物質の濃度が前記キャリア輸送性の高い物質の濃度よりも高い第１の領域と、前記キャリア輸送性の高い物質の濃度が前記発光性の高い物質の濃度よりも高い第２の領域とが交互に積層している構造を有することを特徴とする発光素子。
【請求項５】
一対の電極の間に、複合材料を含む層と、発光領域とを有し、
前記複合材料を含む層は、有機化合物と無機化合物とを含み、
前記発光領域は、発光性の高い物質と、キャリア輸送性の高い物質とを含み、
前記発光領域は、前記キャリア輸送性の高い物質に前記発光性の高い物質が分散している第１の領域と、前記キャリア輸送性の高い物質の濃度が前記第１の領域よりも高い第２の領域とが交互に積層している構造を有することを特徴とする発光素子。
【請求項６】
請求項５において、前記第１の領域は、前記発光性の高い物質を０．００１ｗｔ％〜５０ｗｔ％の濃度で含むことを特徴とする発光素子。
【請求項７】
請求項５において、前記第１の領域は、前記発光性の高い物質を０．０３ｗｔ％〜３０ｗｔ％の濃度で含むことを特徴とする発光素子。
【請求項８】
請求項４乃至請求項７のいずれか一項において、前記キャリア輸送性の高い物質の最高被占軌道準位よりも前記発光性の高い物質の最高被占軌道準位が高く、かつ、前記キャリア輸送性の高い物質の最低空軌道準位よりも前記発光性の高い物質の最低空軌道準位が低いことを特徴とする発光素子。
【請求項９】
請求項４乃至請求項８のいずれか一項において、前記第１の領域の厚さは、２０ｎｍ以下であることを特徴とする発光素子。
【請求項１０】
請求項４乃至請求項８のいずれか一項において、前記第１の領域の厚さは、５ｎｍ以下であることを特徴とする発光素子。
【請求項１１】
請求項４乃至請求項１０のいずれか一項において、前記第２の領域の厚さは、２０ｎｍ以下であることを特徴とする発光素子。
【請求項１２】
請求項４乃至請求項１０のいずれか一項において、前記第２の領域の厚さは、５ｎｍ以下であることを特徴とする発光素子。
【請求項１３】
請求項１乃至請求項１２のいずれか一項において、前記発光性の高い物質は蛍光を発光することを特徴とする発光素子。
【請求項１４】
請求項１乃至請求項１２のいずれか一項において、前記発光性の高い物質は燐光を発光することを特徴とする発光素子。
【請求項１５】
請求項１４において、前記発光性の高い物質の三重項準位は、前記キャリア輸送性の高い物質の三重項準位よりも低いことを特徴とする発光素子。
【請求項１６】
請求項１乃至請求項１５のいずれか一項において、前記複合材料を含む層は、前記一対の電極のうち、一方の電極と接して設けられていることを特徴とする発光素子。
【請求項１７】
請求項１乃至請求項１５のいずれか一項において、前記複合材料を含む層は、前記一対の電極のそれぞれと接するように二層設けられていることを特徴とする発光素子。
【請求項１８】
請求項１乃至請求項１７のいずれか一項において、前記無機化合物は、遷移金属酸化物であることを特徴とする発光素子。
【請求項１９】
請求項１乃至請求項１７のいずれか一項において、前記無機化合物は、酸化チタン、酸化ジルコニウム、酸化ハフニウム、酸化バナジウム、酸化ニオブ、酸化タンタル、酸化クロム、酸化モリブデン、酸化タングステン、酸化マンガン、酸化レニウムのいずれか一種もしくは複数種であることを特徴とする発光素子。
【請求項２０】
請求項１乃至請求項１９のいずれか一項において、前記有機化合物は、正孔輸送性を有することを特徴とする発光素子。
【請求項２１】
請求項１乃至請求項１９のいずれか一項において、前記有機化合物は、アリールアミン骨格を有する有機化合物またはカルバゾール骨格を有する有機化合物であることを特徴とする発光素子。
【請求項２２】
請求項１乃至請求項２１のいずれか一項に記載の発光素子と、前記発光素子の発光を制御する制御手段とを有する発光装置。
【請求項２３】
基板を保持する回転板と、前記基板と対向する複数の蒸発源を保持する保持部とを有する蒸着装置を用い、
第１の蒸発源に発光性の高い物質を保持し、
第２の蒸着源にキャリア輸送性の高い物質を保持し、
前記回転板を回転させることにより、前記基板と前記第１の蒸発源との距離および前記基板と前記第２の蒸発源との距離を変化させ、
前記回転板を回転させながら、前記第１の蒸発源および前記第２の蒸発源から物質を気化させて、前記基板上に前記発光性の高い物質と前記キャリア輸送性の高い物質とを含む層を形成することを特徴とする発光素子の作製方法。
【請求項２４】
基板を保持する保持部と、前記基板と対向する複数の蒸発源を保持する回転板とを有する蒸着装置を用い、
第１の蒸発源に発光性の高い物質を保持し、
第２の蒸着源にキャリア輸送性の高い物質を保持し、
前記回転板を回転させることにより、前記基板と前記第１の蒸発源との距離および前記基板と前記第２の蒸発源との距離を変化させ、
前記回転板を回転させながら、前記第１の蒸発源および前記第２の蒸発源から物質を気化させて、前記基板上に前記発光性の高い物質と前記キャリア輸送性の高い物質とを含む層を形成することを特徴とする発光素子の作製方法。
【請求項２５】
基板を保持する保持部と、前記基板と対向する複数の蒸発源を保持する保持部と、開口部を有する回転板とを有する蒸着装置を用い、
第１の蒸発源に発光性の高い物質を保持し、
第２の蒸着源にキャリア輸送性の高い物質を保持し、
前記開口部を有する回転板を回転させることにより、
前記第１の蒸発源から基板に達する物質の量と前記第２の蒸発源から基板に達する物質の量を変化させ、
前記回転板を回転させながら、前記第１の蒸発源および前記第２の蒸発源から物質を気化させて、前記基板上に前記発光性の高い物質と前記キャリア輸送性の高い物質とを含む層を形成することを特徴とする発光素子の作製方法。
【請求項２６】
基板を保持する回転板と、前記基板と対向する複数の蒸発源を保持する保持部とを有する蒸着装置を用い、
第１の蒸発源に発光性の高い物質を保持し、
第２の蒸着源にキャリア輸送性の高い物質を保持し、
前記回転板を回転させることにより、
前記第１の蒸発源と基板の距離が前記第２の蒸発源と基板との距離よりも近いとき、前記基板上に発光性の高い物質の濃度が高い領域を形成し、
前記第２の蒸発源と基板の距離が前記第１の蒸発源と基板との距離よりも近いとき、前記基板上にキャリア輸送性の高い物質の濃度が高い領域を形成し、
前記発光性の高い物質の濃度が高い領域と前記キャリア輸送性の高い物質の濃度が高い領域を形成していくことを特徴とする発光素子の作製方法。
【請求項２７】
基板を保持する保持部と、前記基板と対向する複数の蒸発源を保持する回転板とを有する蒸着装置を用い、
第１の蒸発源に発光性の高い物質を保持し、
第２の蒸着源にキャリア輸送性の高い物質を保持し、
前記回転板を回転させることにより、
前記第１の蒸発源と基板の距離が前記第２の蒸発源と基板との距離よりも近いとき、前記基板上に発光性の高い物質の濃度が高い領域を形成し、
前記第２の蒸発源と基板の距離が前記第１の蒸発源と基板との距離よりも近いとき、前記基板上にキャリア輸送性の高い物質の濃度が高い領域を形成し、
前記発光性の高い物質の濃度が高い領域と前記キャリア輸送性の高い物質の濃度が高い領域を形成していくことを特徴とする発光素子の作製方法。
【請求項２８】
基板を保持する保持部と、前記基板と対向する複数の蒸発源を保持する保持部と、開口部を有する回転板とを有する蒸着装置を用い、
第１の蒸発源に発光性の高い物質を保持し、
第２の蒸着源にキャリア輸送性の高い物質を保持し、
前記開口部を有する回転板を回転させることにより、
前記開口部が第２の蒸発源よりも第１の蒸発源の近くに位置しているとき、前記基板上に発光性の高い物質の濃度が高い領域を形成し、
前記開口部が第１の蒸発源よりも第２の蒸発源の近くに位置しているとき、前記基板上にキャリア輸送性の高い物質の濃度が高い領域を形成し、
前記発光性の高い物質の濃度が高い領域と前記キャリア輸送性の高い物質の濃度が高い領域を形成していくことを特徴とする発光素子の作製方法。
【請求項２９】
請求項２３乃至請求項２８のいずれか一項において、前記キャリア輸送性の高い物質の最高被占軌道準位よりも前記発光性の高い物質の最高被占軌道準位が高く、かつ、前記キャリア輸送性の高い物質の最低空軌道準位よりも前記発光性の高い物質の最低空軌道準位が低いことを特徴とする発光素子の作製方法。